(57)【要約】【課題】１．排水横管内に空気を貯留させない、２．排水流量を増加する。３．排水器内の自浄性を高める。【解決手段】側面方向に排出口２が備えられる排水器１と、排水器１の排出口２から延出する排水横管３と、から構成される排水部材において、排出口２内の一部を遮蔽する遮蔽壁４を構成するとともに、当該遮蔽壁４によって、排出口２の少なくとも上半分の一部と、排出口２の最下端周辺を含む下半分の一部に、排水及び空気が流れる開口を構成したことを特徴とする。【選択図】図５
2015078500.tif 000002
【特許請求の範囲】
【請求項１】
側面方向に排出口２が備えられる排水器１と、
排水器１の排出口２から延出する排水横管３と、
から構成される排水部材において、
排出口２内の一部を遮蔽する遮蔽壁４を構成するとともに、当該遮蔽壁４によって、排出口２の少なくとも上半分の一部と、排出口２の最下端周辺を含む下半分の一部に、排水及び空気が流れる開口を構成したことを特徴とする排水部材。
【請求項２】
前記排水器１の底面から遮蔽壁４上端に向かって傾斜する傾斜面５を構成したことを特徴とする前記請求項１に記載の排水部材。
【請求項３】
前記排水器１を断面視Ｌ字状に屈曲して構成し、排出口２から延出された排水横管３を介して下流からの異臭や害虫の逆流を防止する封止機能を備えたトラップ部６を備えたことを特徴とする前記請求項１又は請求項２に記載の排水部材。
【請求項４】
前記排水器１に下流からの異臭や害虫の逆流を防止する封止機能を備えたトラップ部６を備え、トラップ部６下流に排出口２を構成して排出口２から排水横管３を延出して構成したことを特徴とする前記請求項１又は請求項２に記載の排水部材。
【請求項５】
前記遮蔽壁４を、高さが排出口２の下半分より高く、横幅が排出口２の中心より小さい幅で構成したことを特徴とする前記請求項１乃至請求項４のいずれか一つに記載の排水部材。
【発明の詳細な説明】
【技術分野】
【０００１】
本発明は、洗面台や槽体の排水口と、排水管やトラップ部、排水器、等の排水部材に関するものである。
【背景技術】
【０００２】
従来よく知られた排水部材は、例えば図１４に示した物がある。本従来例の排水部材は、台所の流し台に用いられる排水部材である。
本従来例の排水部材は、槽体と、排水器と、排水横管と、トラップ部と、から構成されている。
槽体は、台所の流し台に用いられるステンレス製の箱形のシンクであり、底部には排水用の排水口が開口されている。
排水器は、槽体の排水口に取り付けられる排水器であって、断面視Ｌ字状に構成されたエルボ部材であり、側面に槽体からの排水を外部に排出する排出口を開口している。また、排水器の上端に構成されたフランジ部を槽体の排水口に係止させ、水密部材を介して排水器の下からナット部材で排水器外周に構成された雄ねじにナット部材を螺合する。フランジ部とナットが槽体の排水口を介して締め付けられることで、槽体の排水口に排水器が水密的に取り付けられる。また、排水器の内部には、厨芥を収容するゴミカゴを脱着自在に配置している。また、排出口には後述する排水横管が構成される。
排水横管は、排出口に接続される排水管であって、排出口から排水勾配を備えつつ水平方向に延出して配管・構成されており、流し台の収納スペースの背板付近から垂直方向に垂下して配管される。なお、この下方には後述するトラップ部が配管される。
トラップ部は、排水横管の下端に水密的に接続される部材であって、配管を略Ｕ字状に屈曲して内部に封水を備え、下水からの異臭や害虫を室内側へ逆流させない構成としている。また、このトラップ部より下流は排水管が接続され、当該排水管は最終的には下水管に配管接続されることとなる。（特許文献１）
【０００３】
前記した排水部材の排水の流れは以下のようになる。
槽体で発生した排水は、槽体底部の排水口から排水器内に排水され、ゴミカゴを通過して排水器側面に開口された排出口から排水器外へ排水される。排水器外に排水された排水は、排出口に接続された排水横管から排水され、トラップ部を通過して、排水管へ排水され、最終的には下水管へと排水されることとなる。
【０００４】
従来よく知られた排水部材は、例えば図１５に示した物がある。本従来例の排水部材は、洗面台の洗面ボウルに用いられる排水部材である。
本従来例の排水部材は、槽体と、排水器と、排水横管と、トラップ部と、から構成されている。
槽体は、洗面台の洗面ボウルであり、底部には排水用の排水口が開口されている。
排水器は、槽体の排水口から後述する排水横管までを配管する排水配管部材の集合体であって、本従来例では、上端にフランジを構成した排水栓、排水栓の横穴部分と洗面ボウルのオーバーフロー管が接続されるアダプター部材、排水栓下端に接続される断面視Ｌ字状に屈曲したエルボ管、から成る排水配管部材の集合体を総じて排水器と呼ぶ。この排水器のエルボ管の端部には側面方向に向いて延出されている排出口が構成される。この排出口は後述する排水横管が接続されている。
尚、本従来例においては、槽体の排水口を遠隔的に開閉させる遠隔操作式排水栓装置が構成されており、当該遠隔操作式排水栓装置のレリースワイヤがエルボ管の下端から排水栓方向にむけて貫通するように配設されている。
排水横管は、排出口に接続される排水管であって、排出口から排水勾配を備えつつ水平方向に延出して配管・構成されており、洗面台の収納スペースの背板付近から垂直方向に屈曲して配管される。なお、この下方には後述するトラップ部が配管される。
また、この排水横管から垂直方向に屈曲した部分に、屈曲部分から外側方向に膨出して構成される空気溜まり部を構成する。当該空気溜まり部は、排水時の排水横管内に貯留する空気を一時的に貯める箇所である。
トラップ部は、排水横管に下端に水密的に接続される部材であって、配管を略Ｕ字状に屈曲して内部に封水を備え、下水からの異臭や害虫を室内側へ逆流させない構成としている。また、このトラップ部より下流は排水管が接続され、当該排水管は最終的には下水管に配管接続されることとなる。（特許文献２）
【０００５】
前記した排水部材の排水の流れは以下のようになる。
槽体で発生した排水は、槽体底部の排水口から排水器内に排水される。排水器の排水は、詳述すると、排水栓、エルボ管を介して、排水器（エルボ間）側面に開口された排出口から排水器外へ排水される。排水器外に排水された排水は、排出口に接続された排水横管から排水され、トラップ部を通過して、排水管へ排水され、最終的には下水管へと排水されることとなる。また、排水横管の屈曲部分に構成された空気溜まり部には、排水時に排水横管内に貯留する空気を一時的に貯留させ、排水流量を向上させる。
【先行技術文献】
【特許文献】
【０００６】
【特許文献１】特開２００７−２５５０２８号
【特許文献２】特開２００１−１９３１１５号
【発明の概要】
【発明が解決しようとする課題】
【０００７】
前記した特許文献１の技術では以下のような問題があった。
特許文献１の技術では、槽体、排水器からの排水が排水横管の水平管部分と垂下管との間の屈曲部を通過して垂下管へ流下するに際し、排水横管の内側の、特に上側に空気溜まりを形成していた。この空気溜まりは、排水横管及びトラップ部内が排水で満管になった場合に発生し、満管時には排水管内が負圧となり、排水を引き込む作用が増大して更に排水流量が増大するものであるが、この空気溜まりが発生すると、管内の負圧を阻害するとともに、排水が排水横管の流水断面積を狭めることになり、排水能力が低下して排水時間が長くなるという欠点があった。
また、前述した特許文献２の技術では以下のような問題があった。
上述のような排水横管内に発生して排水管内の排水の流れを阻害する空気溜まりを防止するため、排水横管の屈曲部分に空気溜まり部を構成した物であるが、この空気溜まり部は配管途中に構成されるものであるから、空気は空気溜まり部の空気収容量の容積を超えたら逃げ場が無く、結局排水横管内に貯留することとなり、根本的な解決には成らなかった。
【０００８】
以上のことから、本願発明は以下の課題を解決する。
１．排水横管内に空気を貯留させない
２．排水流量を増加する
３．排水器内の自浄性を高める
【課題を解決するための手段】
【０００９】
請求項１に記載の排水部材は、側面方向に排出口２が備えられる排水器１と、排水器１の排出口２から延出する排水横管３と、から構成される排水部材において、排出口２内の一部を遮蔽する遮蔽壁４を構成するとともに、当該遮蔽壁４によって、排出口２の少なくとも上半分の一部と、排出口２の最下端周辺を含む下半分の一部に、排水及び空気が流れる開口を構成したことを特徴とする排水部材である。
【００１０】
請求項２に記載の排水部材は、前記排水器１の底面から遮蔽壁４上端に向かって傾斜する傾斜面５を構成したことを特徴とする前記段落０００９に記載の排水部材である。
【００１１】
請求項３に記載の排水部材は、前記排水器１を断面視Ｌ字状に屈曲して構成し、排出口２から延出された排水横管３を介して下流からの異臭や害虫の逆流を防止する封止機能を備えたトラップ部６を備えたことを特徴とする前記段落０００９又は段落００１０に記載の排水部材である。
【００１２】
請求項４に記載の排水部材は、前記排水器１に下流からの異臭や害虫の逆流を防止する封止機能を備えたトラップ部６を備え、トラップ部６下流に排出口２を構成して排出口２から排水横管３を延出して構成したことを特徴とする前記段落０００９又は段落００１０に記載の排水部材である。
【００１３】
請求項５に記載の排水部材は、前記遮蔽壁４を、高さが排出口２の下半分より高く、横幅が排出口２の中心より小さい幅で構成したことを特徴とする前記段落０００９乃至段落００１２のいずれか一つに記載の排水部材である。
【発明の効果】
【００１４】
請求項１に記載の本発明は、排出口２内の一部を遮蔽する遮蔽壁４を構成するとともに、当該遮蔽壁４によって、排出口２の少なくとも上半分の一部と、排出口２の最下端周辺を含む下半分の一部に、排水及び空気が流れる開口を構成したことにより、排出口２の遮蔽壁４の上方に備えられる開口から排水器１の排水口７１方向へ空気溜まりの空気が逆流し、当該排水横管３内の空気溜まりの空気は排水器１外、具体的には槽体７の排水口７１方向へと排出される。従って、排水横管３内に空気溜まりは存在しなくなるので、空気溜まりによって排水の流れが阻害されるようなことがなく、排水流量が向上するようになった。
請求項２に記載の本発明は、排水器１の底面から遮蔽壁４上端に向かって傾斜する傾斜面５を構成したことから、排水器１底面の傾斜壁により勢いづいた排水が、傾斜面５に連続して構成された遮蔽壁４の上部から排水横管３へ向かって跳ね上がりながら排水され、排水横管３内の空気溜まりを跳ね上がり水によって下流へと押し出すように排水させることとなる。また、請求項１の空気の流れ方向と、本請求項の空気の流れ方向が相違するが、これは、排水流量や流速、排水管内の負圧・正圧によって排水管内の内部状況は適宜変化し、この排水管内の内部状況の変化に合わせて、請求項１における空気の流れ方向の場合と、本請求項における空気の流れ方向も適宜変化することになる。
また、請求項２のように構成したことで、排水横管３内の空気溜まりは円滑に下流へと排水される。また、排水器１底面に構成された傾斜面５により排水が当該傾斜面５に沿うように排水が勢いづき、排水器１内で排水による渦流が発生する。このように渦流が発生すると、排水器１やゴミカゴ内の汚れやヌメリが排水の渦流によって洗浄される。
請求項３に記載の本発明は、排水器１を断面視Ｌ字状に屈曲して構成し、排出口２から延出された排水横管３を介して下流からの異臭や害虫の逆流を防止する封止機能を備えたトラップ部を備えたことから、排水横管３内の空気溜まりを円滑に排水口７１側へと排出することができる。
請求項４に記載の本発明は、排水器１に下流からの異臭や害虫の逆流を防止する封止機能を備えたトラップ部６を備え、トラップ部６下流に排出口２を構成して排出口２から排水横管３を延出して構成したことから、排水横管３内の空気溜まりを円滑に排水口７１側へと排出することができる。
請求項５に記載の本発明は、遮蔽壁４を、高さが排出口２の下半分より高く、横幅が排出口２の中心より小さい幅で構成したことにより、排水横管３の上方に貯留した空気溜まりを遮蔽壁４の上方から排出することができるとともに、初期排水時の排水は、排出口２の最下端から円滑に排水横管３へと排水することができる。
【図面の簡単な説明】
【００１５】
【図１】実施例１の施工状態を示す断面図である。
【図２】実施例１の排水器の上面図である。
【図３】図２における排水器のＡ−Ａ’断面図である。
【図４】実施例１の排水器の、排出口の軸方向視の図である。
【図５】図２における排水器のＡ−Ａ’断面斜視図である。
【図６】実施例１における排水時の排水の流れを示す図である。
【図７】実施例１における排水時の空気の流れを示す図である。
【図８】実施例２の施工状態を示す断面図である。
【図９】実施例３の施工状態を示す断面図である。
【図１０】その他の実施例を示す断面図である。
【図１１】その他の実施例を示す断面図である。
【図１２】図８乃至図１１におけるＡ−Ａ’断面図である。
【図１３】第１実施例の、遮蔽壁のその他の実施例を示す断面図である。
【図１４】従来例を示す断面図である。
【図１５】従来例を示す断面図である。
【発明を実施するための形態】
【実施例１】
【００１６】
本実施例の排水部材は、図１乃至図７に示した物がある。本実施例の排水部材は、図１に示すように台所の流し台に用いられる排水部材である。
本実施例の排水部材は、槽体７と、排水器１と、排水横管３と、トラップ部６と、から構成されている。
槽体７は、台所の流し台に用いられるステンレス製の箱形のシンクであり、底部には排水用の排水口７１が開口されている。
排水器１は、槽体７の排水口７１に取り付けられる排水器１であって、排出口２、遮蔽壁４、傾斜面５、から構成される。
排水器１は、図３に示すように断面視Ｌ字状に構成されたエルボ部材であり、側面に槽体７からの排水を外部に排出する排出口２を開口している。また、排水器１の上端に構成されたフランジ部を槽体７の排水口７１に係止させ、排水器１の下からナット部材で排水器１外周に構成された雄ねじにナット部材を螺合させ、水密部材を介してフランジ部とナット部材が槽体７の排水口７１を介して締め付けられることで、槽体７の排水口７１に排水器１が水密的に取り付けられる。また、排水器１の内部には、図示しないが厨芥を収容するゴミカゴを脱着自在に配置している。
排出口２は、軸方向視略円形であって、排出口２内の一部を遮蔽する遮蔽壁４を構成し、当該遮蔽壁４は図４に示すように軸方向視、高さが排出口２の下半分より高く、横幅が排出口２の中心より小さい幅で構成しており、少なくとも排出口２の上部及び最下端付近は排水／通気の為に開口している。また、排出口２には後述する排水横管３が配管接続される。また、排出口２の形状について、本実施例では軸方向視円形であるが、例えば楕円形や角形などの異形であってもかまわない。また、遮蔽壁４の横幅については、排出口２の中心より小さい幅で構成したことにより、排出口２の形状が円形の場合は排水が排出口２の最下面より円滑に排水横管３へと排水されることになる。
傾斜面５は、図３、図５に示すように、排水器１の底面から遮蔽壁４上端まで連続して構成される傾斜した面であって、本実施例では、排水器１の内側面に沿って傾斜面５が構成され、図２に示すように上面視略三日月状に傾斜面５に備えられる。
排水横管３は、排出口２に接続される排水管であって、排出口２から排水勾配を備えつつ水平方向に延出して配管・構成されており、流し台の収納スペースの背板付近から垂直方向に垂下して配管される。なお、この下方には後述するトラップ部６が配管される。
トラップ部６は、排水横管３に下端に水密的に接続される部材であって、配管を略Ｕ字状に屈曲して内部に封水を備え、下水からの異臭や害虫を室内側へ逆流させない封止構造としている。また、このトラップ部６より下流は排水管８が接続され、当該排水管８は最終的には下水管に配管接続されることとなる。
【００１７】
前記した排水部材の排水の流れは以下のようになる。
槽体７で発生した排水は、槽体７底部の排水口７１から排水器１内に排水され、ゴミカゴを通過し、排水器１底面に構成された傾斜面５により排水が当該傾斜面５に沿うように排水が勢いづき、排水器１内で排水による渦流が発生する。このように渦流が発生すると、排水器１やゴミカゴ内の汚れやヌメリが排水の渦流によって洗浄されることとなる。
また、排水器１内の排水は、排出口２より排水横管３へと排水される。このとき、排出口２に構成された遮蔽壁４の横に位置する排出口２の最下端から排水は徐徐に排水横管３へ排水される。そうすると排水横管３内で排水の水位が上昇し、排水横管３の上部に空気が貯留することとなるが、排水器１底面の傾斜壁により勢いづいた排水が、図６に示すように、傾斜面５に連続して構成された遮蔽壁４の上部から排水横管３へ向かって跳ね上がりながら排水され、排水横管３内の空気溜まりを跳ね上がり水によって下流へと押し出すように排水させることとなる。このようにしたことで、排水横管３内の空気溜まりの大部分は円滑に下流へと排水される。尚、図６の矢印は排水の流れを示す矢印である。
また、跳ね上がり水によって下流へ空気が追い出されなかった排水横管３内の残りの空気溜まりについては、図７に示すように排出口２の遮蔽壁４の上方に備えられる開口から排水器１の排水口７１方向へ空気溜まりの空気が逆流し、当該排水横管３内の空気溜まりの空気は排水器１外、具体的には槽体７の排水口７１方向へと排出される。従って、排水横管３内に空気溜まりは存在しなくなるので、空気溜まりによって排水の流れが阻害されるようなことがなく、排水流量が向上することとなる。また、図７の矢印は空気の流れを示す矢印である。
排水横管３内の排水は、排水横管３の下端に接続したトラップ部６を通過して、排水管８へ排水され、最終的には下水管へと排水されることとなる。排水管８にはトラップ部６を構成しているので、下水からの臭気や害虫が室内側へ逆流するようなことはない。
【実施例２】
【００１８】
本実施例の排水部材は、図８に示した物がある。本実施例の排水部材は、洗面台の洗面ボウルに用いられる排水部材である。
本実施例の排水部材は、槽体７と、排水器１と、トラップ部６と、排水横管３と、から構成されている。
槽体７は、洗面台の洗面ボウルであり、底部には排水用の排水口７１が開口されている。
排水器１は、槽体７の排水口７１から後述する排水横管３までを配管する排水配管部材の集合体であって、本実施例では、上端にフランジを構成した排水栓、排水栓の横穴部分と洗面ボウルのオーバーフロー管が接続されるアダプター部材、排水栓下端に接続される断面視Ｌ字状に屈曲したエルボ管、から成る排水配管部材の集合体を総じて排水器１と呼ぶ。この排水器１のエルボ管の端部には側面方向に向いて延出されている排出口２が構成される。この排出口２は後述する排水横管３が接続されている。
また、本実施例では槽体７の排水口７１に遠隔操作式排水栓装置を配置している。当該遠隔操作式排水栓装置は、槽体７の上縁部やバックガードに配置された操作部を操作することで、排水口７１内に配置された弁体が上下動する装置であり、操作部から弁体まではレリースワイヤが配されている。
トラップ部６は、弾性を有する樹脂により形成され、上流側の端部は開放されて軸方向視円形の開口が構成されるとともに、下流側の端部はこの開口から連続して形成され側部が閉じられた一対の弁体の先端を重ねた形状になっている自封式トラップと呼ばれる部材を使用している。当該トラップ部６は、エルボ管内に着脱自在に配置構成され、排水されたら排水の自重により閉じられた先端の弁体がその弾性で開口し、弁体より下流へと排水を排水する。また、排水が終了すると、自封式トラップの弁体がその自身の弾性により閉じて重なり、封止する。この弁体が閉じることによって、下流（下水）からの異臭や害虫が室内側へ逆流するようなことがない。また、トラップ部６に自封式トラップを採用しているので、封水をその内部に備えずに済むから、排水管内が排水の力によって負圧になっても、封水式トラップのように封水を損失する破封現象が発生するようなことがない。
排水器１に構成される排出口２は、軸方向視略円形であって、排出口２内の一部を遮蔽する遮蔽壁４を構成し、当該遮蔽壁４は図１２に示すように、軸方向視扇形で構成される。本実施例の遮蔽壁４の横幅は、排出口２の中心までの幅となる。これは排出口２が円形であるため、排出口２の最下面を排水用に開口しておかないと排出口内部に水残りが発生するためである。また、高さも本実施例では排出口２の半分の高さとしているが、高さは少なくとも排出口２の上部が通気の為に開口していればよい。また、排出口２には後述する排水横管３が配管接続される。また、排出口２の形状について、本実施例では軸方向視円形であるが、例えば楕円形や角形などの異形であってもかまわない。
排水横管３は、排出口２に接続される排水管であって、排出口２から排水勾配を備えつつ水平方向に延出して配管・構成されており、洗面台の収納スペースの背板付近から垂直方向に垂下して配管される。
【００１９】
前記した排水部材の排水の流れは以下のようになる。
槽体７で発生した排水は、槽体７の排水口７１から排水器１内へ流入し、排水器１のエルボ管に配置構成されたトラップ部６の開口からトラップ部６内に流入し、トラップ部６の閉じた弁体が、排水の重み又は水圧によって離間し開口する。排水はトラップ部６の弁体を通過し、排水器１のエルボ管の屈曲部分を通過して側面に構成された排出口２から排水器１外、つまり排水横管３部へと排水される。このとき、排出口２に構成された遮蔽壁４の横に位置する排出口２の最下端から排水は徐徐に排水横管３へ排水される。そうすると排水横管３内で排水の水位が上昇し、排水横管３の上部に空気が貯留することとなるが、排出口２の遮蔽壁４の上方に備えられる開口から排水器１の排水口７１方向へ空気溜まりの空気が逆流し、当該排水横管３内の空気溜まりの空気は排水器１外、具体的には槽体７の排水口７１方向へと排出される。従って、排水横管３内に空気溜まりは存在しなくなるので、空気溜まりによって排水の流れが阻害されるようなことがなく、排水流量が向上することとなる。
排水横管３内の排水は、最終的には下水管へと排水されることとなる。また、排水器１内にはトラップ部６を構成しているので、下水からの臭気や害虫が室内側へ逆流するようなことはない。
また、排水が終了すると、トラップ部６の離間していた弁体が自身の弾性により閉口するので排水管内を閉塞、封止することができ、下水からの異臭や害虫を室内側へと逆流させない。
【実施例３】
【００２０】
本実施例の排水部材は、図９に示した物がある。本実施例の排水部材は、浴室の浴槽に用いられる排水部材である。
また、本実施例の浴室は、後述する槽体７を載置する浴槽パン７２、洗い場を形成する洗い場パン７３を構成しており、両者の防水パンには排水用の排水口７１が開口され、浴槽パン７２の排水口７１には後述する排水器１が、洗い場パン７３の排水口７１にはトラップ部６が、それぞれ取付けられている。
本実施例の排水部材は、槽体７と、排水器１と、排水横管３と、トラップ部６と、から構成されている。
槽体７は、浴室の浴槽であり、箱体であって底部には排水用の排水口７１が開口されている。また、この槽体７は、前記した防水パンである浴槽パン７２に載置され、当該槽体７の排水口７１が浴槽パン７２の排水口７１の直上に配置されるように、浴槽パン７２に槽体７を載置しており、槽体７内の排水は当該槽体７の排水口７１から浴槽パン７２の排水口７１を介して後述する排水器１へと排水される。
排水器１は、槽体７の排水口７１からの排水と、浴槽パン７２の排水口７１からの排水を下流へと排水する為の部材であって、断面視Ｌ字状のエルボ体である。当該排水器１には、排出口２、遮蔽壁４を構成している。
排出口２は、排水器１の側面方向から外側へ向かって延出して構成され、軸方向視略円形であって、排出口２内の一部を遮蔽する遮蔽壁４を構成する。当該遮蔽壁４は図１２に示すように、軸方向視扇形で構成される。本実施例の遮蔽壁４の横幅は、排出口２の中心までの幅となる。これは排出口２が円形であるため、排出口２の最下面を排水用に開口しておかないと排出口内部に水残りが発生するためである。また、高さも本実施例では排出口２の半分の高さとしているが、高さは少なくとも排出口２の上部が通気の為に開口していればよい。また、排出口２には後述する排水横管３が配管接続される。また、排出口２の形状について、本実施例では軸方向視円形であるが、例えば楕円形や角形などの異形であってもかまわない。
排水横管３は、排出口２に接続される排水管であって、排出口２から排水勾配を備えつつ水平方向に延出して配管・構成されており、後述するトラップ部６の枝管６１に接続され、排水器１内の排水をトラップ部６へと排水するための配管である。
トラップ部６は、前記洗い場パン７３の排水口７１に取り付けられる部材であって、内部に排水を一時的に貯水して機能する封水を備え、側面には枝管６１が構成され、洗い場パン７３以外の排水経路の排水をトラップ部６内に流入させる構造になっており、下流は排水管８に接続されて、トラップ部６内の排水を排水管８へと排水する出口が構成される。また、トラップ部６は、逆椀型排水トラップ方式を採用している。当該トラップ部６を構成して封止していることにより、下水からの異臭や害虫が室内側へ逆流するようなことがない。
【００２１】
前記した排水部材の排水の流れは以下のようになる。
槽体７で発生した排水は、槽体７底部の排水口７１から浴槽パン７２の排水口７１を介して排水器１内に排水され、浴槽パン７２上の排水は浴槽パン７２の排水口７１から排水器１内に排水される。排水器１内の排水は、排水器１の側面に構成された排出口２から、遮蔽壁４を介して排水横管３へと排水される。このとき、排出口２の遮蔽壁４の上方に備えられる開口から、排水器１の排水口７１方向へ空気溜まりの空気が逆流し、当該排水横管３内の空気溜まりの空気は排水器１外、具体的には槽体７の排水口７１方向へと排出される。従って、排水横管３内に空気溜まりは存在しなくなるので、空気溜まりによって排水の流れが阻害されるようなことがなく、排水流量が向上することとなる。
また、排水横管３へと排水された排水は、トラップ部６側面に構成された枝管６１を通過し、トラップ部６の封水を介してトラップ部６の出口から排水管８へと排水され、最終的には下水管へと排水される。
また、洗い場パン７３上に発生した排水は、洗い場パン７３の排水口７１からトラップ部６に排水され、封水を介して出口から排水管８へと排水され、最終的には下水管へと排水される。
また、洗い場パン７３にトラップ部６を構成して封止しているので、下水管からの異臭や害虫は室内側へと逆流することはない。
【００２２】
本発明は前記した実施例のほか、特許請求の範囲を越えない範囲で適宜変更は可能である。
前記実施例では排出口２の形状を軸方向視円形状にしているが、例えば軸方向視楕円形状であったり、角形であったりしてもかまわない。
また、前記実施例１及び実施例３では、封水式のトラップ部６より上流に遮蔽壁４を構成しているが、例えば図１０や図１１に示すように封水式のトラップ部６より下流に排出口２を構成して、当該排出口２に遮蔽壁４を構成してもかまわない。また、封水式排水とタップにおいても、形式は逆椀型の排水トラップや自封式トラップに限定されるものではなく、これも図１０や図１１に示すような排水トラップを構成することが出きる。
また、第１実施例における遮蔽壁４は、図１３に示すように、遮蔽壁４の構成を軸方向視扇形状としてもかまわない。この場合、遮蔽壁４の横幅は、排出口２の中心までの幅となる。また、第２実施例や第３実施例における傾斜面５のない遮蔽壁４も、遮蔽壁４の横幅を排出口２の中心よりも小さくし、遮蔽壁４を排出口２の高さより高く構成しても構わない。
また、前記実施例では、傾斜面５の形状を、上面視排水器１の側面に沿うように、略三日月状に形成しているが、上面視略三日月状でなくてもよく、例えば滑り台の傾斜のように遮蔽壁４の前面に傾斜面５を備える構造でもかまわない、この場合は排水器１の上面視略半月状になる。
【符号の説明】
【００２３】
１    排水器
２    排出口
３    排水横管
４    遮蔽壁
５    傾斜面
６    トラップ部
６１  枝管
７    槽体
７１  排水口
７２  浴槽パン
７３  洗い場パン
８    排水管
【図１】
2015078500.tif 000003
【図２】
2015078500.tif 000004
【図３】
2015078500.tif 000005
【図４】
2015078500.tif 000006
【図５】
2015078500.tif 000007
【図６】
2015078500.tif 000008
【図７】
2015078500.tif 000009
【図８】
2015078500.tif 000010
【図９】
2015078500.tif 000011
【図１０】
2015078500.tif 000012
【図１１】
2015078500.tif 000013
【図１２】
2015078500.tif 000014
【図１３】
2015078500.tif 000015
【図１４】
2015078500.tif 000016
【図１５】
2015078500.tif 000017